(57)【特許請求の範囲】
【請求項１】
入力されたカラー画像信号で表される色空間を平面に変換し、平面信号を生成する平面信号変換手段と、
前記平面信号変換手段により生成された平面信号に基づいて前記カラー画像信号の彩度を識別し、彩度識別信号を生成する彩度識別手段と、
前記平面信号変換手段により生成された平面信号に基づいて前記カラー画像信号における色相の領域を識別し、色相領域識別信号を生成する色相領域識別手段と、
前記彩度識別手段により生成された彩度識別信号および前記色相領域識別手段により生成された色相領域識別信号に基づいて前記カラー画像信号の色変換をおこなう色変換手段と、
複数の色相領域のマスキング係数を演算するマスキング係数演算手段と、
前記マスキング係数演算手段により演算されたマスキング係数の中から、前記彩度識別手段により生成された彩度識別信号および前記色相領域識別手段により生成された色相領域識別信号に基づいてマスキング係数を選択するマスキング係数選択手段と、
を備え、
前記色変換手段は、前記マスキング係数選択手段により選択さえたマスキング係数を用いて前記カラー画像信号の色変換をおこなうことを特徴とするカラー画像処理装置。
【請求項２】
入力されたカラー画像信号で表される色空間を平面に変換し、平面信号を生成する平面信号変換工程と、
前記平面信号変換工程により生成された平面信号に基づいて前記カラー画像信号の彩度を識別し、彩度識別信号を生成する彩度識別工程と、
前記平面信号変換工程により生成された平面信号に基づいて前記カラー画像信号における色相の領域を識別し、色相領域識別信号を生成する色相領域識別工程と、
前記彩度識別工程により生成された彩度識別信号および前記色相領域識別工程により生成された色相領域識別信号に基づいて前記カラー画像信号の色変換をおこなう色変換工程と、
複数の色相領域のマスキング係数を演算するマスキング係数演算工程と、
前記マスキング係数演算工程により演算されたマスキング係数の中から、前記彩度識別工程により生成された彩度識別信号および前記色相領域識別工程により生成された色相領域識別信号に基づいてマスキング係数を選択するマスキング係数選択工程と、
を含み、
前記色変換工程は、前記マスキング係数選択工程により選択さえたマスキング係数を用いて前記カラー画像信号の色変換をおこなうことを特徴とするカラー画像処理方法。
【請求項３】
前記請求項２に記載された方法をコンピュータに実行させるプログラムを記録したことを特徴とするコンピュータ読み取り可能な記録媒体。
【発明の詳細な説明】
【０００１】
【発明の属する技術分野】
この発明は、カラー画像内のある色を意図的に任意に色変換する、あるいは指定色を他の指定色に色変換するカラー画像処理装置、カラー画像処理方法およびその方法をコンピュータに実行させるプログラムを記録したコンピュータ読み取り可能な記録媒体に関する。
【０００２】
【従来の技術】
従来、色相領域を抽出する装置として、たとえば、特開平１−１１４２６７号公報においては、複数のデジタルカラー画像（Ｒ，Ｇ，Ｂ）のうち、もっとも大きい信号の大きさに応じた乗算処理をおこない、乗算処理された画像信号を用いて色相の検出をおこなう色相検出装置について提案されている。
【０００３】
また、特開平１−２６９３６５号公報においては、画像信号の示す色が属する色相領域を判定し、上記判定された領域に応じて所定のパラメータの１組を選択し、選択したパラメータにより画像信号を処理することで、色変換を可変にしたカラー画像処理装置について提案されている。
【０００４】
上記特開平１−１１４２６７号公報に係る色相検出装置や特開平１−２６９３６５号公報に係るカラー画像処理装置等の従来技術における色相領域を抽出する装置では色相を検出する際、色相を検出する境界となるものは直線的に区切られている。
【０００５】
【発明が解消しようとする課題】
しかしながら、実際の色における色相変動は、図１０の色相変動特性に示すように、曲線的になっている。そのため、上記従来の補正技術にあっては、操作者が、ある色を任意の色に変換する場合、たとえば、レッドをシアンに変更する場合、操作者が期待するとおりに色が変換しない場合があるといった問題点があった。
【０００６】
これは、上記図１０に示した色相変動特性からもわかるように、彩度の薄いものと濃いものにおいて、ＣＭＹ画像によるレッドの色相変動が直線的ではないためである。
【０００７】
この発明は、上述した従来例による問題点を解消するため、指定色をほかの指定色に色変換するときに、操作者の期待どおりの色変換をおこなうことが可能なカラー画像処理装置、カラー画像処理方法およびその方法をコンピュータに実行させるプログラムを記録したコンピュータ読み取り可能な記録媒体を提供することを目的とする。
【０００８】
【課題を解決するための手段】
上述した課題を解決し、目的を達成するため、この発明に係るカラー画像処理装置は、入力されたカラー画像信号で表される色空間を平面に変換し、平面信号を生成する平面信号変換手段と、前記平面信号変換手段により生成された平面信号に基づいて前記カラー画像信号の彩度を識別し、彩度識別信号を生成する彩度識別手段と、前記平面信号変換手段により生成された平面信号に基づいて前記カラー画像信号における色相の領域を識別し、色相領域識別信号を生成する色相領域識別手段と、前記彩度識別手段により生成された彩度識別信号および前記色相領域識別手段により生成された色相領域識別信号に基づいて前記カラー画像信号の色変換をおこなう色変換手段と、を備えたことを特徴とする。
【０００９】
この発明によれば、彩度が異なる画像であっても、カラー画像内のある色を意図的に任意に色変換をおこなうことができる。
【００１０】
また、この発明に係るカラー画像処理装置は、上記の発明において、さらに、操作者により指定色された指定色からほかの指定色への変換を指示する色変換指示手段を備え、前記色変換手段が、前記ほかの指定色に基づいて前記カラー画像信号の色変換をおこなうことを特徴とする。
【００１１】
この発明によれば、彩度が異なる画像であっても、操作者の色指定に基づいて、カラー画像内のある色を意図的に任意に色変換をおこなうことができる。
【００１２】
また、この発明に係るカラー画像処理装置は、上記の発明において、さらに、複数の色相領域のマスキング係数を演算するマスキング係数演算手段と、前記マスキング係数演算手段により演算されたマスキング係数の中から、前記彩度識別手段により生成された彩度識別信号および前記色相領域識別手段により生成された色相領域識別信号に基づいてマスキング係数を選択するマスキング係数選択手段と、を備え、前記色変換手段が、前記マスキング係数選択手段により選択さえたマスキング係数を用いて前記カラー画像信号の色変換をおこなうことを特徴とする。
【００１３】
この発明によれば、色変換をおこなう際、最適なマスキング係数を選択することができる。
【００１４】
【００１５】
【００１６】
また、この発明に係るカラー画像処理方法は、入力されたカラー画像信号で表される色空間を平面に変換し、平面信号を生成する平面信号変換工程と、前記平面信号変換工程により生成された平面信号に基づいて前記カラー画像信号の彩度を識別し、彩度識別信号を生成する彩度識別工程と、前記平面信号変換工程により生成された平面信号に基づいて前記カラー画像信号における色相の領域を識別し、色相領域識別信号を生成する色相領域識別工程と、前記彩度識別工程により生成された彩度識別信号および前記色相領域識別工程により生成された色相領域識別信号に基づいて前記カラー画像信号の色変換をおこなう色変換工程と、を含んだことを特徴とする。
【００１７】
この発明によれば、彩度が異なる画像であっても、カラー画像内のある色を意図的に任意に色変換をおこなうことができる。
【００１８】
また、この発明に係るカラー画像処理方法は、上記の発明において、さらに、操作者により指定された指定色からほか指定色への変換を指示する色変換指示工程を含み、前記色変換工程が、前記ほかの指定色に基づいて前記カラー画像信号の色変換をおこなうことを特徴とする。
【００１９】
この発明によれば、彩度が異なる画像であっても、操作者の色指定に基づいて、カラー画像内のある色を意図的に任意に色変換をおこなうことができる。
【００２０】
また、この発明に係るカラー画像処理方法は、上記の発明において、さらに、複数の色相領域のマスキング係数を演算するマスキング係数演算工程と、前記マスキング係数演算工程により演算されたマスキング係数の中から、前記彩度識別工程により生成された彩度識別信号および前記色相領域識別工程により生成された色相領域識別信号に基づいてマスキング係数を選択するマスキング係数選択工程と、を含み、前記色変換工程が、前記マスキング係数選択工程により選択さえたマスキング係数を用いて前記カラー画像信号の色変換をおこなうことを特徴とする。
【００２１】
この発明によれば、色変換をおこなう際、最適なマスキング係数を選択することができる。
【００２２】
【００２３】
【００２４】
また、この発明に係る記憶媒体は、上記に記載された方法をコンピュータに実行させるプログラムを記録したことで、そのプログラムを機械読み取り可能となり、これによって、上記の動作をコンピュータによって実現することが可能である。
【００２５】
【発明の実施の形態】
以下に添付図面を参照して、この発明に係るカラー画像処理装置、カラー画像処理方法およびその方法をコンピュータに実行させるプログラムを記録したコンピュータ読み取り可能な記録媒体の好適な実施の形態を詳細に説明する。
【００２６】
本実施の形態におけるカラー画像処理装置は、スキャナ等において特性の異なる入力装置を使用しても、その特性に合わせて、人が任意に指定色をほかの指定色に色変換するカラー画像処理装置である。
【００２７】
まず、本実施の形態によるカラー画像処理装置の概要について説明する。図１は、この発明の本実施の形態によるカラー画像処理装置の機能的構成を示すブロック図である。図１において、カラー画像処理装置は、スキャナ部１０１と、平面信号変換部１０２と、彩度識別部１０３と、色相領域識別部１０４と、色変換部１０５と、プリンタ部１０６とから構成される。
【００２８】
スキャナ部１０１は、原稿１００の画像を読み取る。また、平面信号変換部１０２は、スキャナ部１０１等から入力されたカラー画像信号で表される色空間を平面に変換し、平面信号を生成する。
【００２９】
彩度識別部１０３は、平面信号変換部１０２により生成された平面信号に基づいて前記カラー画像信号の彩度を識別し、彩度識別信号を生成する。また、色相領域識別部１０４は、平面信号変換部１０２により生成された平面信号に基づいて前記カラー画像信号における色相の領域を識別し、色相領域識別信号を生成する。
【００３０】
色変換部１０５は、彩度識別部１０３により生成された彩度識別信号および色相領域識別部１０４により生成された色相領域識別信号に基づいてカラー画像信号の色変換をおこなう。また、プリンタ部１０６は、色変換部１０５により変換されたカラー画像信号を印刷する。
【００３１】
また、色変換指示部１１０は、操作者により指定された指定色からほかの指定色への変換を指示する。色変換部１０５は、色変換指示部１１０により変換するよう指示されたほかの指定色に基づいて前記カラー画像信号の色変換をおこなう。
【００３２】
つぎに、カラー画像処理装置の動作について説明する。まず、原稿１００をスキャナ部１０１において画像信号に変換する。スキャナ部１０１の出力信号である画像信号は平面信号変換部１０２により平面信号に変換される。
【００３３】
ここで、平面信号の内容について説明する。図２は、読み取り濃度Ｒ，Ｇ，Ｂの３軸で表されるカラー画像信号の色空間グラフを示す説明図である。図２（ａ）において、平面信号は、直線Ｒ＝Ｇ＝Ｂからの方向２０１によって識別することができる。この方向２０１の関係が崩れないように、なおかつ、無彩色を原点に取るような平面２０２に変換する。この平面２０２を示したのが図２（ｂ）である。
【００３４】
平面信号変換部１０２の出力信号に基づいて、彩度識別部１０３によって彩度を識別する。また、色相領域識別部１０４も、平面信号変換部１０２の出力信号に基づいて、任意の色相領域を識別する。
【００３５】
彩度識別部１０３の出力信号と、色相領域識別部１０４の出力信号と、スキャナ部１０１からの画像信号とに基づいて、色変換部１０５において色変換がおこなわれる。そして、プリンタ部１０６等の画像出力装置は、その出力画像信号に基づいて、カラー画像を形成し、当該カラー画像を出力する。
【００３６】
つぎに、色変換についてさらに詳細に説明する。図３は、本実施の形態によるカラー画像処理装置のより詳細な構成を示すブロック図である。なお、図１において示したカラー画像処理装置の構成部と同一のものは、同一の符号を付してその説明は省略する。
【００３７】
図３において、カラー画像処理装置は、平面信号変換部１０２と、彩度識別部１０３と、色相領域変換部１０４と、色変換部１０５と、色変換指示部１１０のほか、画像信号入力部３０１と、色相領域選択部３０２と、マスキング係数演算部３０３と、マスキング係数選択部３０４とから構成される。
【００３８】
画像信号入力部３０１は、画像信号を入力する。画像信号入力部３０１は、スキャナ部１０１を含み、さらに、通信等により画像信号を入力することもできる。
【００３９】
色相領域選択部３０２は、カラー画像信号における色相領域を選択する。また、マスキング係数演算部３０３は、複数の色相領域のマスキング係数を演算する。複数の色相領域は、あらかじめ用意されたものであってもよく、また、色相領域選択部３０２により選択されたものであってもよい。
【００４０】
マスキング係数選択部３０４は、マスキング係数演算部３０３により演算されたマスキング係数、彩度識別部１０３により生成された彩度識別信号および色相領域識別部１０４により生成された色相領域識別信号に基づいてマスキング係数を選択する。
【００４１】
また、色変換部１０５は、前記マスキング係数選択手段により選択さえたマスキング係数を用いて前記カラー画像信号の色変換をおこなう。
【００４２】
また、色相領域選択部３０２は、色変換指示部１１０により変換するよう指示されたほかの指定色に基づいて前記カラー画像信号における色相領域を選択する。
【００４３】
なお、スキャナ部１０１、平面信号変換部１０２、彩度識別部１０３、色相領域変換部１０４、色変換部１０５、プリンタ部１０６、色変換指示部１１０、画像信号入力部３０１、色相領域選択部３０２、マスキング係数演算部３０３、マスキング係数選択部３０４は、図４のブロック図に示すように、ＲＯＭ４０３、ＲＡＭ４０２またはハードディスク（ＨＤ）４０４、着脱可能なメモリとしてフロッピーディスク（ＦＤ）４０５等の記録媒体に記録されたプログラムに記載された命令にしたがってＣＰＵ（中央演算処理装置）４０１等が命令処理を実行することにより、各部の機能を実現するものである。
【００４４】
図４において、各構成部（ＣＰＵ４０１、ＲＡＭ４０２、ＲＯＭ４０３、ＨＤ４０４、ＦＤ４０５）は、バス４００で接続されている。また、バス４００には、データを入力する入力部４１１と、データを出力する出力部４１２と、データを表示する表示部４１３とが接続されている。
【００４５】
つぎに、カラー画像処理装置の色変換に関する動作について説明する。まず、色変換指示部１１０によって、ある任意の指定色を他の任意の指定色に変換する指示を受け、色変換指示に関するデータを色相領域選択３０２へ送出する。
【００４６】
図５は、本実施の形態によるカラー画像処理装置の色変換指示のための操作パネル５００の一例を示す説明図である。図５において、操作パネル５００は、変換の対象となる色情報を表示する第１の表示欄５０１と、変換の対象となる色を選択する第１の選択ボタン群５０２と、変換後の色情報を表示する第２の表示欄５０３と、変換の対象となる色を選択する第２の選択ボタン群５０４と、を含む構成である。
【００４７】
第１の選択ボタン群および第２の選択ボタン群は、対象となる色と対応するように設定されており、ボタン上に当該色に関する情報（たとえば色の名前）を表示する、あるいは、ボタン自体を当該色になるように表示する。
【００４８】
操作者は、色変換をおこなう色を指定する。指定の方法としては、操作パネル５００の第１の選択ボタン群５０２の中から、所望する色の選択ボタンを押下することによりおこなわれる。
【００４９】
図５においては、第１の選択ボタン群５０２の中から、上段の左側から２番目のボタンが選択され、当該ボタンに対応する色である「レッド」が指定され、その色情報である文字「レッド」が第１の表示欄５０１に表示され、選択が完了する。
【００５０】
変換後の色を指定する場合も同様であり、第２の選択ボタン群５０３により所望の色を指定する。第２の選択ボタン群５０４の中から、下段の右側から２番目を押下することにより、第２の表示欄５０３に「シアン」の文字が表示され、選択が完了する。
【００５１】
色相領域選択部３０２は、色変換指示部１１０からの色変換指示、すなわち、操作パネル５００により指定されたデータに基づいて、いくつかの色相領域を用意する。
【００５２】
図６および図７は、読み取り濃度Ｒ，Ｇ，Ｂの３軸で表されるカラー画像信号の別の色空間グラフを示す説明図である。ここで、最初、用意されている色相領域が図６に示すものであるとする。すなわち、境界６０１、６０２、６０３により区切られている領域が色相領域である。
【００５３】
しかし、このような境界のままであると、色変換指示があり、その指示によると、Ｒの彩度が高い場合、操作者が意図する色には変化しない。そこで、図７に示す境界６０１のほかに境界７０１も設けておく。
【００５４】
ここで、色相領域選択部３０２において設定された色相領域において、画像信号入力部３０１により入力された画像信号の色相領域を色相領域識別部１０４により識別する。また、上記入力された画像信号の彩度を彩度識別部１０３により識別する。
【００５５】
また、色変換指示部１１０において指定されたデータに基づいてマスキング係数演算部３０３では、各々の色相領域のマスキング係数を演算する。ここで、マスキング係数演算部３０３は、色変換指示部１１０等における指定色を他の指定色に変換するように、その各々の領域における係数を演算する。各々の領域とは、たとえば、最初に用意された色相領域、すなわち、図６に示したような境界により区切られた領域である。
【００５６】
マスキング係数選択部３０４においては、マスキング係数演算部３０３により演算された複数の色相領域におけるマスキング係数、彩度識別部１０３により生成された彩度識別信号および色相領域識別部１０４により生成された色相領域識別信号に基づいて、最適のマスキング係数を選択する。
【００５７】
マスキング係数選択部３０４においては、たとえば、色相領域識別部１０４により、色相領域が、図７における境界６０１と境界７０１の間であると識別された場合に、彩度識別部１０３により生成された彩度識別信号を参照する。このとき、彩度が低いと識別されている場合は、色相領域は、従来どおり、図６における境界６０１と境界６０２の領域におけるマスキング係数を選択する。
【００５８】
一方、彩度識別部１０３により生成された彩度識別信号を参照し、彩度が高いと識別されている場合は、マスキング係数は境界６０１と境界６０３により区切られた領域における値を参照する。
【００５９】
このように、彩度によって、識別された色相領域の係数を用いないで、本来、意図する色変換をおこなう領域の係数を用いるようにする。
【００６０】
そして、マスキング係数選択部３０４により選択された結果に基づいて、画像信号入力部３０１により入力された画像信号は色変換部１０５によって色変換がおこなわれる。
【００６１】
つぎに、本実施の形態によるカラー画像処理装置の一連の処理の内容について説明する。図８は、本実施の形態によるカラー画像処理装置の一連の処理の手順を示すフローチャートである。図８のフローチャートにおいて、まず、カラー画像信号を入力し（ステップＳ８０１）、入力されたカラー画像信号の色空間を平面に変換し、平面信号を生成する（ステップＳ８０２）。
【００６２】
つぎに、ステップＳ８０２において生成された平面信号に基づいてカラー画像信号の彩度を識別し、彩度識別信号を生成する（ステップＳ８０３）。同様に、ステップＳ８０２において生成された平面信号に基づいてカラー画像信号の色相領域を識別し、色相領域識別信号を生成する（ステップＳ８０４）。
【００６３】
その後、ステップＳ８０３において生成された彩度識別信号およびステップＳ８０４において生成された色相領域識別信号に基づいてカラー画像信号の色変換をおこなう（ステップＳ８０５）。
【００６４】
ステップＳ８０５において変換されたカラー画像信号に基づいてプリントし（ステップＳ８０６）、一連の処理を終了する。
【００６５】
また、図９は、本実施の形態によるカラー画像処理装置のマスキング係数選択に至る一連の処理の手順を示すフローチャートである。図９のフローチャートにおいて、まず、色変換の指示があったか否かを判断し（ステップＳ９０１）、色変換の指示を待って、指示があった場合（ステップＳ９０１肯定）は、複数の色相領域のうちから、最初の色相領域を抽出し（ステップＳ９０２）、抽出された色相領域のマスキング係数を演算する（ステップＳ９０３）
【００６６】
ステップＳ９０４において、すべての色相領域の抽出が終了したか否かを判断し、すべての色相領域の抽出が終了していない場合（ステップＳ９０４否定）は、つぎの色相領域を抽出し（ステップＳ９０５）、その後、ステップＳ９０３へ移行し、以後、ステップＳ９０３〜Ｓ９０５の処理を繰り返しおこなう。
【００６７】
一方、ステップＳ９０４において、すべての色相領域の抽出が終了した場合（ステップＳ９０４肯定）は、つぎに、ステップＳ９０３において演算処理されたマスキング係数の中から、上記彩度識別信号および上記色相領域識別信号に基づいてマスキング係数を選択する（ステップＳ９０６）。
【００６８】
その後は、図８のステップＳ８０５へ移行し、ステップＳ９０６により選択されたマスキング係数を用いて色変換をおこなう（ステップＳ８０５）。
【００６９】
以上説明したように、本実施の形態によるカラー画像処理装置によれば、彩度が異なる画像であっても、操作者の色指定に基づいて、カラー画像内のある色を意図的に任意に色変換をおこなうことができる。
【００７０】
また、操作者の色指定に基づいて色変換をおこなう際、最適なマスキング係数を選択することができる。
【００７１】
【発明の効果】
以上説明したように、この発明によれば、平面信号変換手段が、入力されたカラー画像信号で表される色空間を平面に変換し、平面信号を生成し、彩度識別手段が、前記平面信号変換手段により生成された平面信号に基づいて前記カラー画像信号の彩度を識別し、彩度識別信号を生成し、色相領域識別手段が、前記平面信号変換手段により生成された平面信号に基づいて前記カラー画像信号における色相の領域を識別し、色相領域識別信号を生成し、色変換手段が、前記彩度識別手段により生成された彩度識別信号および前記色相領域識別手段により生成された色相領域識別信号に基づいて前記カラー画像信号の色変換をおこなうので、彩度が異なる画像であっても、カラー画像内のある色を意図的に任意に色変換をおこなうことができ、これにより、指定色をほかの指定色に色変換するときに、操作者の期待どおりの色変換をおこなうことが可能なカラー画像処理装置が得られるという効果を奏する。
【００７２】
また、この発明によれば、上記の発明において、色変換指示手段が、操作者により指定された指定色からほかの指定色への変換を指示し、前記色変換手段が、前記ほかの指定色に基づいて前記カラー画像信号の色変換をおこなうので、彩度が異なる画像であっても、操作者の色指定に基づいて、カラー画像内のある色を意図的に任意に色変換をおこなうことができ、これにより、指定色をほかの指定色に色変換するときに、操作者の期待どおりの色変換をおこなうことが可能なカラー画像処理装置が得られるという効果を奏する。
【００７３】
また、この発明によれば、上記の発明において、マスキング係数演算手段が、複数の色相領域のマスキング係数を演算し、マスキング係数選択手段が、前記マスキング係数演算手段により演算されたマスキング係数の中から、前記彩度識別手段により生成された彩度識別信号および前記色相領域識別手段により生成された色相領域識別信号に基づいてマスキング係数を選択し、前記色変換手段が、前記マスキング係数選択手段により選択さえたマスキング係数を用いて前記カラー画像信号の色変換をおこなうので、色変換をおこなう際、最適なマスキング係数を選択することができ、これにより、指定色をほかの指定色に色変換するときに、操作者の期待どおりの色変換をおこなうことが可能なカラー画像処理装置が得られるという効果を奏する。
【００７４】
また、この発明によれば、上記の発明において、前記色相領域選択手段が、前記色変換指示手段により変換するよう指示されたほかの指定色に基づいて前記カラー画像信号における色相領域を選択するので、操作者の色指定に基づいて色変換をおこなう際、最適なマスキング係数を選択することができ、これにより、指定色をほかの指定色に色変換するときに、操作者の期待どおりの色変換をおこなうことが可能なカラー画像処理装置が得られるという効果を奏する。
【００７５】
また、この発明によれば、平面信号変換工程が、入力されたカラー画像信号で表される色空間を平面に変換し、平面信号を生成し、彩度識別工程が、前記平面信号変換工程により生成された平面信号に基づいて前記カラー画像信号の彩度を識別し、彩度識別信号を生成し、色相領域識別工程が、前記平面信号変換工程により生成された平面信号に基づいて前記カラー画像信号における色相の領域を識別し、色相領域識別信号を生成し、色変換工程が、前記彩度識別工程により生成された彩度識別信号および前記色相領域識別工程により生成された色相領域識別信号に基づいて前記カラー画像信号の色変換をおこなうので、彩度が異なる画像であっても、カラー画像内のある色を意図的に任意に色変換をおこなうことができ、これにより、指定色をほかの指定色に色変換するときに、操作者の期待どおりの色変換をおこなうことが可能なカラー画像処理方法が得られるという効果を奏する。
【００７６】
また、この発明によれば、上記の発明において、色変換指示工程が、操作者により指定された指定色からほかの指定色への変換を指示し、前記色変換工程が、前記ほかの指定色に基づいて前記カラー画像信号の色変換をおこなうので、彩度が異なる画像であっても、操作者の色指定に基づいて、カラー画像内のある色を意図的に任意に色変換をおこなうことができ、これにより、指定色をほかの指定色に色変換するときに、操作者の期待どおりの色変換をおこなうことが可能なカラー画像処理方法が得られるという効果を奏する。
【００７７】
また、この発明によれば、上記の発明において、マスキング係数演算工程が、複数の色相領域のマスキング係数を演算し、マスキング係数選択工程が、前記マスキング係数演算工程により演算されたマスキング係数の中から、前記彩度識別工程により生成された彩度識別信号および前記色相領域識別工程により生成された色相領域識別信号に基づいてマスキング係数を選択し、前記色変換工程が、前記マスキング係数選択工程により選択さえたマスキング係数を用いて前記カラー画像信号の色変換をおこなうので、色変換をおこなう際、最適なマスキング係数を選択することができ、これにより、指定色をほかの指定色に色変換するときに、操作者の期待どおりの色変換をおこなうことが可能なカラー画像処理方法が得られるという効果を奏する。
【００７８】
また、この発明によれば、上記の発明において、前記色相領域選択工程が、前記色変換指示工程により変換するよう指示されたほかの指定色に基づいて前記カラー画像信号における色相領域を選択するので、操作者の色指定に基づいて色変換をおこなう際、最適なマスキング係数を選択することができ、これにより、指定色をほかの指定色に色変換するときに、操作者の期待どおりの色変換をおこなうことが可能なカラー画像処理方法が得られるという効果を奏する。
【００７９】
また、この発明によれば、上記に記載された方法をコンピュータに実行させるプログラムを記録したことで、そのプログラムを機械読み取り可能となり、これによって、上記の動作をコンピュータによって実現することが可能な記録媒体が得られるという効果を奏する。
【図面の簡単な説明】
【図１】  この発明の本実施の形態によるカラー画像処理装置の機能的構成を示すブロック図である。
【図２】  読み取り濃度Ｒ，Ｇ，Ｂの３軸で表されるカラー画像信号の色空間グラフを示す説明図である。
【図３】  本実施の形態によるカラー画像処理装置のより詳細な機能的構成を示すブロック図である。
【図４】  本実施の形態によるカラー画像処理装置のハードウエア構成を示すブロック図である。
【図５】  本実施の形態によるカラー画像処理装置の色変換指示のための操作パネルの一例を示す説明図である。
【図６】  読み取り濃度Ｒ，Ｇ，Ｂの３軸で表されるカラー画像信号の別の色空間グラフを示す説明図である。
【図７】  読み取り濃度Ｒ，Ｇ，Ｂの３軸で表されるカラー画像信号の別の色空間グラフを示す説明図である。
【図８】  本実施の形態によるカラー画像処理装置の一連の処理の手順を示すフローチャートである。
【図９】  本実施の形態によるカラー画像処理装置のマスキング係数選択に至る一連の処理の手順を示すフローチャートである。
【図１０】  色変動特性を示す説明図である。
【符号の説明】
１０１  スキャナ部
１０２  平面信号変換部
１０３  彩度識別部
１０４  色相領域識別部
１０５  色変換部
１０６  プリンタ部
１１０  色変換指示部
３０１  画像信号入力部
３０２  色相領域選択部
３０３  マスキング係数演算部
３０４  マスキング係数選択部
４００  バス
４０１  ＣＰＵ
４０２  ＲＡＭ
４０３  ＲＯＭ
４０４  ＨＤ
４０５  ＦＤ
４１１  入力部
４１２  出力部
４１３  表示部
５００  操作パネル
５０１  第１の表示欄
５０２  第１の選択ボタン群
５０３  第２の表示欄
５０４  第２の選択ボタン群
６０１，６０２，６０３，７０１  境界
【図１】
0003785282.tif 000002
【図２】
0003785282.tif 000003
【図３】
0003785282.tif 000004
【図４】
0003785282.tif 000005
【図５】
0003785282.tif 000006
【図６】
0003785282.tif 000007
【図７】
0003785282.tif 000008
【図８】
0003785282.tif 000009
【図９】
0003785282.tif 000010
【図１０】
0003785282.tif 000011